(57)【特許請求の範囲】
【請求項１】
胴（５）と、該胴（５）と軸方向に延びる直線案内部（１０）と、前記胴（５）を洗浄する洗浄装置（９）と、を有し、前記洗浄装置（９）は、前記洗浄装置（９）を印刷機の内部の、前記胴（５）を洗浄する作動位置へと、前記直線案内部（１０）に沿ってスライドさせ、また該作動位置から印刷機の外部に向かって前記直線案内部（１０）に沿ってスライドさせるグリップ(４６)を備えた印刷機において、
前記グリップ（４６）がロッド（４４）に配置され、
前記グリップ（４６）を前記洗浄装置（９）に対して相対的に運動させるために前記ロッド（４４）が少なくとも１つのジョイント（４５，６０）によって前記洗浄装置（９）に取り付けられており、
前記洗浄装置（９）が前記印刷機の外にあるとき、前記グリップ（４６）が前記洗浄装置（９）に対して第１の距離をとることができ、前記洗浄装置（９）が前記印刷機の外にあり、前記胴（５）を洗浄するとき、前記洗浄装置（９）を前記印刷機の内部に差し込んで前記作動位置へと前記直線案内部（１０）に沿ってスライドさせるために、前記グリップ（４６）が前記洗浄装置（９）に対して前記第１の距離よりも長い第２の距離をとることができる、
ことを特徴とする印刷機。
【請求項２】
前記ロッド（４４）が前記ジョイント（４５，６０）に支持されている、請求項１記載の印刷機。
【請求項３】
前記ジョイント（４５）が回転ジョイントである、請求項１記載の印刷機。
【請求項４】
前記ジョイント（６０）が直進ジョイントである、請求項１記載の印刷機。
【請求項５】
前記グリップ（４６）が前記ロッド（４４）を介して少なくとも１つの第１の固定装置（４８，５０,５１）と接続され、前記グリップ（４６）が前記洗浄装置（９）に対して位置調節可能で、その際前記第２の距離に位置調節可能で、前記グリップ（４６）が前記第２の距離にあるときに前記グリップ（４６）が操作されると、前記第１の固定装置（４８，５０，５１）が操作され、前記グリップ（４６）は前記第１の固定装置（４８，５０，５１）によって前記洗浄装置（９）に固定される、請求項１記載の印刷機。
【請求項６】
前記グリップ（４６）が前記ロッド（４４）を介して少なくとも１つの第２の固定装置（５０，５４）と接続され、前記洗浄装置（９）が前記印刷機（１）に対して位置調節可能で、その際前記作動位置に位置調節可能で、前記洗浄装置（９）が前記作動位置にあるときに前記グリップ（４６）が操作されると、前記第２の固定装置（５０，５４）が操作され、前記洗浄装置（９）は前記第２の固定装置（５０，５４）によって前記印刷機（１）に固定される、請求項１記載の印刷機。
【請求項７】
前記グリップ（４６）が前記ロッド（４４）を介して少なくとも１つの調節装置（１５）と接続され、前記グリップ（４６）が操作されると、前記調節装置（１５）が操作され、それによって前記調節装置（１５）が電気スイッチング装置（１４）を切り換える、請求項１記載の印刷機。
【請求項８】
前記グリップ（４６）が前記ロッド（４４）を介して少なくとも１つの調節装置（１６，１８）と接続され、前記グリップ（４６）が操作されると、前記調節装置（１６，１８）が操作され、それによって前記調節装置（１６，１８）が少なくとも１つの監視装置（１７，１９）を変位させる、請求項１記載の印刷機。
【発明の詳細な説明】
【０００１】
【発明の属する技術分野】
本発明は、請求項１の前堤項に記載の、直線案内部と、この直線案内部に沿って洗浄装置をスライドさせるグリップを有する洗浄装置とを備えた印刷機に関する。
【０００２】
【従来の技術】
ドイツ特許明細書３１００２３８Ｃ２にはこのような印刷機が記載されている。その洗浄装置は、印刷機の中で洗浄装置を楽にスライドさせるには短すぎるグリップ（ドイツ特許明細書３１００２３８Ｃ２の図２、符号１９を参照）を備えている。
【０００３】
日本国特許２５７８１２３号には、冒頭に述べた分野に属するさらに別の印刷機が記載されている。その洗浄装置は、印刷機の内部で洗浄装置を楽にスライドさせるのに長さの面では適しているものの洗浄装置に固定して取り付けられているために印刷機の外部での取扱は困難なグリップ（日本国特許２５７８１２３号の図７、符号２４を参照）を有している。洗浄装置とグリップを合わせると長すぎて場所をとる。
【０００４】
【発明が解決しようとする課題】
したがって、上述した従来技術を前提とする本発明の目的は、洗浄装置が印刷機の内部でも印刷機の外部でも取り扱いやすい、冒頭に述べた分野の印刷機を提供することである。
【０００５】
【課題を解決するための手段】
この目的は請求項１の構成要件を備えた印刷機によって達成される。
【０００６】
胴と、該胴と軸方向に延びる直線案内部と、胴を洗浄する洗浄装置と、を有し、洗浄装置は、洗浄装置を印刷機の内部の、胴を洗浄する作動位置へと、直線案内部に沿ってスライドさせ、また該作動位置から印刷機の外部に向かって直線案内部部に沿ってスライドさせるグリップを備えた、本発明の印刷機は、
グリップがロッドに配置され、
グリップを洗浄装置に対して相対的に運動させるためにロッドが少なくとも１つのジョイントによって洗浄装置に取り付けられており、
洗浄装置が印刷機の外にあるとき、グリップが洗浄装置に対して第１の距離をとることができ、洗浄装置が印刷機の外にあり、胴を洗浄するとき、洗浄装置を印刷機の内部に差し込んで作動位置へと直線案内部に沿ってスライドさせるために、グリップが洗浄装置に対して第１の距離よりも長い第２の距離をとることができる、
ことを特徴とする。
【０００７】
本発明の印刷機の利点は、グリップがジョイントによって案内されて、洗浄装置に対して比較的長い距離と比較的短い距離を選択的に位置調節可能なことである。印刷機にある穴を通して洗浄装置を印刷機に差し込んだり印刷機から引き出せるようにするため、グリップが洗浄装置に対して長い距離をとることができる。印刷機が置かれている印刷室で、洗浄装置をグリップとともに運搬するために、グリップが短い距離をとることができるので、洗浄装置とグリップを合わせても非常にコンパクトになる。
【０００８】
印刷機の有利な実施態様は従属請求項に記載されている。
【０００９】
長いロッドにグリップが配置されるという点で有利な実施態様では、ジョイントが直進ジョイントとして構成される。それにより、グリップを洗浄装置に向かうように、および洗浄装置から離れるように位置調節するために、直進ジョイントの推進軸に沿ってロッドを洗浄装置に差し込んだり洗浄装置から引き出すことが可能である。
【００１０】
グリップの多機能な利用という面で有利な実施態様では、ジョイントが回転ジョイントとして構成される。回転ジョイントの回転軸を中心としてグリップが回転することにより、固定装置を止めたり外したりすることができ、あるいは調節装置を位置調節することができる。したがって、グリップが少なくとも１つの装置を作動させる操作部材をなしていることにより、グリップは洗浄装置をスライドさせる機能に加えてさらに別の機能をもつことになる。
【００１１】
有利には、グリップを洗浄装置に対して相対的に動かすために、グリップは回転ジョイントによっても直進ジョイントによっても洗浄装置に取り付けられる。しかしながら、回転ジョイントと直進ジョイントの機能をただ１つの回転・直進ジョイントに統合することも可能である。
【００１２】
【発明の実施の形態】
次に、本発明の実施の形態について図面を参照しながら説明する。
【００１３】
図１には、給紙装置２と、排紙装置３と、少なくとも１つのオフセット印刷ユニット４とを備えた輪転印刷機１が描かれている。印刷ユニット４は圧胴５と、ブランケット胴６と、版胴７と、版胴にインキ付けするインキ装置８とを含んでいる。圧胴５を洗浄するため、圧胴５の隣には、圧胴５と軸平行な直線案内部１０の上で印刷機１の中に差込可能、かつ印刷機１から引出可能である梁状の洗浄装置９が配置されている。直線案内部１０は、被印刷体搬送方向に対して直角かつ水平方向に延び、印刷機１のフレーム１３に取り付けられた２本のレール１１および１２で構成されている。
【００１４】
図２には、洗浄装置９が取り外された状態の案内部１０、ならびに案内部１０の隣に配置された印刷機１の装置１４から１９が描かれている。
【００１５】
符号１４は、印刷機１の主駆動装置として機能して圧胴５を回転駆動する電動モータ２１に電流を供給する電気回路２０を開閉するために配置された電気スイッチング装置を示している。
【００１６】
符号１５は、位置調節によってスイッチング装置１４を切換可能である調節装置を示している。調節装置１５は、フレーム固定された回転ジョイント２３を中心として揺動可能な２本腕レバー２２と、フレーム固定された回転ジョイント２３と同軸に配置されたフレーム固定された回転ジョイント２５を中心として揺動可能な２本腕レバー２４とで構成されている。レバー２４の一方のアーム２４．１には、電気回路２０内に位置するスイッチング装置１４の電気スイッチ２６が配置され、アーム２２．１にはスイッチ２６を押すことで行われるスイッチ２６の操作のための切換斜材２７が配置されている。アーム２２．１および２４．１の各々にはそれぞれ引張ばね２８，２９がその一方の端部で枢着されており、引張ばね２８，２９の他方の端部はフレーム１３に枢着されている。レバー２２および２４に作用するコイル状のばね２８および２９により、装置１４から１９は図２に示すそれぞれの位置で固定される。レバー２２および２４のアーム２２．２および２４．２には、それぞれロール３０および３１が回転可能に取り付けられており、それによってロール３０および３１の回転軸は互いに直交するように方向付けられている。
【００１７】
符号１６は、洗浄装置９を監視する役目をする監視装置１７を受動位置（図２参照）から能動位置（図７参照）へ、およびこの逆へ変位可能にする調節装置を示している。符号１８は、洗浄装置９を監視する役目をするさらに別の監視装置１９を受動位置（図２参照）から能動位置（図７参照）へ、およびこの逆へ変位可能にする調節装置を示している。調節装置１６および１８の各々は４つの部材からなるリンク機構として構成されており、その駆動ロッカーはレバー２２によって構成される、その従動ロッカーはそれぞれの監視装置１７または１９によって構成される。
【００１８】
監視装置１７は、フレーム１３に定置に配置されたリンク機構の回転ジョイント３２を中心として揺動可能に配置されている。ばねロッドとして構成された、調整装置１６のリンク３３は、その一方の端部でジョイント３２に対して偏心的に監視装置１７に枢着され、他方の端部ではレバー２２のアーム２２．１に枢着されている。監視装置１９も同様に、フレーム１３に定置に配置された回転ジョイント３４を中心として揺動可能に配置されている。同じくばねロッドとして構成された調節装置１８のリンク３５は、その一方の端部でジョイント３４に対して偏心的にオフセットされて監視装置１９に枢着され、他方の端部ではレバー２２に枢着されている。４回転リンク機構の平坦なリンク機構として構成された調節装置１６および１８によって、監視装置１７，１９は同時に洗浄装置９の方へ向かって、およびこれに続いて同時に洗浄装置９から離れるように変位可能である。
【００１９】
監視装置１７は、織物またはフリース素材からなる洗浄ベルト３６の送りを測定する役目をするのに対し、この洗浄ベルト３６は清浄布リール３７から繰り出されて洗浄装置９の汚れ布リール３８に巻き取られる。
【００２０】
リール３７にまだ巻き取られているベルト３６の部分の長さ、およびこれに伴うリール３７におけるベルト３６の巻回層の数がわずかになって、これ以上リールから繰り出されるとベルト３６のリール３７に固定された端部が外れてしまう危険が生じると、ただちに監視装置１９がリール３７からのベルト３６の繰り出しを中止させる。ベルト３６は、洗浄装置９で胴５を洗浄している間、胴５の円周表面に押し付けられる。
【００２１】
洗浄装置９を、しばしば布経路センサとも呼ばれる監視装置１７と衝突せずに、かつしばしば布終端センサとも呼ばれる監視装置１９と衝突せずに、窓４３（図１参照）を通って印刷機１の中に差し込めるようにするため、監視装置１７および１９は調節装置１６および１８によって洗浄装置９の差込経路から外へ受動位置（図２参照）に位置調節される。
【００２２】
洗浄装置１９が胴５を洗浄する作動位置へ印刷機１の中に差し込まれた後、その作動位置で洗浄装置９が係止されるのと同時に、後で詳しく説明する、洗浄装置９に向かって洗浄ベルト３６へ接近する監視装置１７および１９の変位が行われる。
【００２３】
図６と図７に示すように、洗浄装置９は、洗浄装置９がスライドするときにレール１１および１２の上側で転動するロール３９および４０を備えており、また洗浄装置９は、レール１１および１２に下側で当接することによって案内部１０における洗浄装置９の位置をその推進方向ないし案内方向に対して直角の方向で固定する固定山形材４１，４２を有している。案内部１０は窓４３とほぼ同一平面で終わっていて印刷機１から突出しないので、案内部１０によっていかなる傷害の危険も発生しない。
【００２４】
図４には洗浄装置９が模式化して描かれており、それによって、洗浄装置９とほぼ同じ長さに構成されたロッド４４がジョイント４５および６０で洗浄装置９に支持されることが示されている。ロッド４４の折り曲げられた一方の端部にはグリップ４６が配置されており、このグリップ４６によって操作員はジョイント４５および６０の回転・推進軸４７（図３参照）を中心としてロッド４４を洗浄装置９に対して相対的に回転させ、さらに操作員はこのグリップ４６に沿ってロッド４４を洗浄装置９に差し込んだり洗浄装置９から引き出したりすることができる。
【００２５】
ロッド４４が洗浄装置９に差し込まれているとき（図４参照）、洗浄装置９は印刷機１の外部で問題なく取扱可能である。洗浄装置９から引き出されたロッド４４（図５参照）は操作員の到達距離を広げるので、洗浄装置９は問題なく印刷機１の内部でその作動位置へスライド可能、かつ作動位置から引き出し可能である。
【００２６】
ジョイント４５は回転ジョイントとして構成されており、軸４７に沿ってスライドしないよう止められていて軸４７を中心として回転可能に洗浄装置９の穴に支持されたブッシュ５３で構成されている。カム５０は、たとえばカム５０とブッシュ５３が単一の鋳造部品をなすことによってブッシュ５３と堅固に連結されており、したがってブッシュ５３とともに軸４７を中心として回転可能である。カム５０とブッシュ５３を通って軸４７の方向に、断面が四角形の多角形状をなす切欠きが延びており、ロッド４４はこの切欠きを貫通して延びている。カム５０とブッシュ５３を貫通して延びるロッド４４の断面は同じく四角形の多角形状に構成されており、それによってロッド４４は嵌合式に切欠きに着座する。この嵌合に基づいてロッド４はカム５０およびブッシュ５３に対して相対的に回転しないよう止められており、ブッシュ５３とカム５０を連行するときにのみ軸４７を中心として回転可能である。しかしながら切欠きの中でのロッド４４の遊びは、ロッド４４がブッシュ５３とカム５０に対して相対的に軸４７に沿ってスライドすることを可能にする。つまりジョイント６０は切欠きとロッド４４で構成される直進ジョイントである。
【００２７】
軸４７の方向でカム５０とブッシュ５３に対して相対的にオフセットされて、ロッド４４が貫通する円形の切欠き４９を備えたスリット絞り４８が洗浄装置９に配置されている。四角形で断面が正方形のロッド４４のコーナーの対角線間隔は円形の切欠き４９の直径よりも小さく寸法決めされているので、ロッド４４は切欠き４９の内部で軸４７に沿ってスライドし、かつ軸４７を中心として回転することができる。つまり絞り４８の切欠き４９はロッド４４とともに回転・直進ジョイントを構成している。
【００２８】
ロッド４４には、長さが切欠き４９の直径を上回っている横方向ピン５１が差し込まれている。しかし突起とも呼ばれるこのピン５１は、ロッド４４の回転によってピン５１がスリット５２に対して合同に重なる図３に示す位置に回転すると、絞り４８のスリット５２を通って摺動することができる。ピン５１がスリット５２に対して合同に重ならないように回転しているとき、このピンは、切欠き４９から半径方向に突出する回転ラッチを構成し、絞り４８に突き当たり、それによって第１の方向へのロッド４４の軸方向のスライドをブロックする。
【００２９】
カム５０とブッシュ５３を貫いている切欠きは、切欠き４９とは逆に、ピン５１が貫通して嵌るスリットによって拡張されていない。したがって、ピン５１は、ピン５１がカム５０に突き当たるロッド４４の一定の直進位置以降は、グリップ４６とこれに伴うロッド４４のどの回転位置でも、第２の方向へのロッド４４の軸方向のスライドをブロックする。
【００３０】
図４および図５に示す構成とは異なりカム５０とブッシュ５３を互いに入れ替えた代りの構成では、ピン５１がカム５０ではなくブッシュ５３に突き当たることになる。図示した構成ではカム５０、代りの構成ではブッシュ５３が、それぞれさらに別の絞りとして機能し、この絞りは絞り４８およびピン５１とともに、洗浄装置９に対して相対的にロッド４４およびこれに伴うグリップ４６をロックするための固定装置を構成する。
【００３１】
グリップ４６がロックされているとき（図５および図６参照）、操作員によってグリップ４６に及ぼされる推力や引張力は、絞り４８またはカム５０を押圧するピン５１を介して洗浄装置９に伝えられてこれを変位させる。固定装置（絞り４８、カム５０、およびピン５１）はバヨネット継手に類似した構造をもち、差込継手の一種に数えられる。
【００３２】
カム５０は調節装置１５を作動させるカムとしての役目ばかりでなく、追加的に、グリップ４６によって軸４７を中心として回転可能な、さらに別の固定装置のラッチとしての役目も果たす。この固定装置はカム５０によって、フレーム１３に取り付けられた部分に刻まれた溝５４とともに構成されるものであり、作動位置での洗浄装置９のロックを可能にする。カム５０が溝５４の中に移動しているとき、固定装置（カム５０、溝５４）は洗浄装置９が案内部１０の上で両方の方向へスライドするのをブロックする。カム５０が溝５４の外にいるときは、洗浄装置９は案内部１０の上を自由にスライド可能である。洗浄装置９に取り付けられていてロッド４４と軸平行に延びる横木５５は、同じく調節装置１４を作動させる役目をする。
【００３３】
次に、印刷機１の上に述べたさまざまな装置の協働作用について説明する。
【００３４】
洗浄装置９が印刷機１から取り出されているとき、図３および図４に示すように、グリップ４６は洗浄装置９の側壁５６に近づき、ロッド４４は装置９のなかで下がっている。したがって、装置９は楽に搬送可能である。胴５は恒常的にでなく一時的にのみ洗浄装置９で洗浄すればよいので、胴５がモータ２１によって回転駆動される印刷機１の印刷作業は、洗浄装置９が印刷機１から取り出されているときでも可能である。
【００３５】
図２に示すように、両方のレバー２２および２４は、洗浄装置９が印刷機１から取り出されているときにはばね２８および２９により、アーム２２．１が斜材２７を介してスイッチ２６を押していない互いの相対位置に保たれるので、スイッチ２６は電気回路２０が閉じられた第１の切換位置にいる。
【００３６】
たとえば印刷機１の外部でベルト３６を交換した後に洗浄装置９を再び印刷機１に挿入するため、洗浄装置９を案内部１０の上に装着し、この案内部に沿って印刷機の中に差し込む。差込を容易にするため、ロッド４４はほぼ完全に洗浄装置９から引き出され、それによってグリップ４６は壁５６に対して長い間隔をとることになる。ロッド４４を引き抜くとき、ピン５１はスリット５２を通って絞り４８とカム５０の間の領域に入る。
【００３７】
続いてグリップ４６を図３および図４に示す位置から図５および図６に示す位置へと回すことにより、グリップ４６は洗浄装置９の差込方向で固定装置４８，５０および５１によって洗浄装置９９に対して係止されるので、グリップ４６がロッド４４によって延長されているときは洗浄装置９を問題なく印刷機１の奥深くに差込可能である。
【００３８】
この差込時に洗浄装置９はレバー２４に当たり、これをジョイント２５を中心としてレバー２２に対して相対的に変化した角度位置へと揺動させる。洗浄装置９による調節装置１５のこうした動作を容易にするため、横木５５は、差込時に横木５５がロール３０と接触し、それによってアーム２４．２を洗浄装置９の差込経路から外へばね２８の復帰作用に抗して下方へ押圧するように配置されている。したがって、スイッチ２６はレバー２２および斜材２７に向かって動き、後者はスイッチ２６を押圧することによってこれを作動させるので、電気回路２０が開いてモータ２１が動作を停止する。
【００３９】
つまり洗浄装置９の差込によって調節装置１５を介して作動させられるスイッチング装置１４は、洗浄装置９が印刷機１の外部にあるとき、および洗浄装置９が適正にロックされてその作動位置にいるときには印刷機１の作動準備ができているが、洗浄装置９の差込によって特徴づけられる中間状態の間は作動準備ができていないように構成されている。
【００４０】
操作員が洗浄装置９をその作動位置まで差し込むと、グリップ４６を図５および図６に示す回転位置から図７に示す回転位置へ回すことによって、洗浄装置９が占めている位置でロックが行われる。グリップを回すことによってロックと同時に、軸４７を中心に揺動可能なカム５０がレバー２２をそれまでの角度位置からレバー２４に対して相対的に別の角度位置へと押圧することによって、調節装置１５によってスイッチング装置１４がさらに作動させられる。カム５０がローラ３１を介してレバーアーム２２．２を下方に押圧するので、カム５０による調節装置１５を介してのスイッチング装置１４の動作は軽い動作で行われる。カム５０の回転運動によって引き起されるレバー２２の位置調節は、斜材２７を介したスイッチ２６へのアーム２２．１の押圧の低下をもたらし、それによってスイッチ２６は電気回路２０が閉じる第１の切換位置に戻され、電気回路２０を通じてモータ２１に電流を供給することが可能となり、したがって印刷機１の作動準備ができる。
【００４１】
スイッチング装置１４の切換と同時に、グリップ４６、ロッド４４、およびカム５０によって駆動されるジョイント２３を中心とするレバー２２の揺動は、調節装置１６および１８の位置調節を引き起こし、この位置調節の結果、監視装置１７および１９が図２に示す引き戻された位置から図７に示す押し出された位置へと変位することになる。
【００４２】
洗浄装置９を印刷機１にロックするグリップ４６の回転位置を固定するために係止部５７が設けられており、その係止部材５７はローラ３１で構成されるとともに、その係止部材シートはカム５０の、他の部位では凸面状に湾曲している曲線輪郭にある凹面状の窪み５８によって構成されている。図７に示すように、ロール３１は係止部５７が係止されているときには窪み５８の中に位置している。グリップ４６の回転によって、ばね２９に設定されている係止部５７の限界力に打ち勝ち、ロール３１がばね２９の作用に抗して窪み５８から押し出され、それによって係止部５７が係止解除されるまで、係止部材（ロール３１）はばね２９によって係止部材シート（窪み５８）の中に保持される。
【００４３】
印刷機１に関して格別に有利なことに、洗浄装置９を印刷機１の奥深くまで差し込むことができ、洗浄装置９が作動位置に差し込まれているときには（図５参照）洗浄装置９の壁５６と、窓４３のある機械壁５９との間隔がロッド４４によって橋渡しされる。ロッド４４および同じく案内部１０によって橋渡しされるこの間隔は、胴５の長さおよび洗浄装置９の長さとほぼ同じ大きさである。さらに、操作が確実にできる片手操作が有利である。装置１４から１９のために、および洗浄装置９を差し込むためにグリップ４６の形態のただ１つの操作部材しか必要なく、操作員は洗浄装置９を印刷機１に差し込んだ後、事実上そこから手を離すことなく、装置１４から１９を操作するためにこの操作部材を回すだけでよい。
【００４４】
印刷機１から洗浄装置９を取り出すときの装置１４から１９の操作は、洗浄装置９を差し込むのと反対の順序で行う。まず、保持装置５０，５４を外し、このとき同時に監視装置１７および１９が揺動して復帰してスイッチング装置１４が作動し、それによってモータ２１が作動を停止する。印刷機１から洗浄装置９を引き抜くと洗浄装置９はレバー２４と接触しなくなり、それによってこのレバーはスイッチング装置１４を元通りに切り換えるので、印刷機１は再び作動準備ができる。洗浄装置９が印刷機１からの取り出し中に十分に窓４３から引き出され、操作員が洗浄装置９を問題なくつかめるようになると、保持装置５０，５４が外れ、ロッド４４が洗浄装置９に差し込まれ、グリップ４６が洗浄装置９に接近する。
【図面の簡単な説明】
【図１】胴と、この胴を洗浄するために印刷機の中に挿入されている洗浄装置とを備えた印刷機である。
【図２】洗浄装置が取り出された状態の印刷機を示す、印刷機の拡大部分図である。
【図３】印刷機から取り出され、グリップを備えたロッドを含んでいる洗浄装置を示す前面図である。
【図４】印刷機から取り出され、ロッドが差し込まれた洗浄装置を示す概略的な側面図である。
【図５】印刷機に挿入された状態の洗浄装置を示す概略的な側面図であり、このときロッドは洗浄装置から引き出されており、グリップはロッドと洗浄装置をロックする回転位置に回転している。
【図６】洗浄装置が印刷機に差し込まれた状態を示す前面図である。
【図７】洗浄装置を示す前面図であり、このときグリップは洗浄装置と印刷機をロックする回転位置に回転している。
【符号の説明】
１  印刷機
２  給紙装置
３  排紙装置
４  印刷ユニット
５  圧胴
６  ブランケット胴
７  版胴
８  インキ装置
９  洗浄装置
１０  直線案内部
１１，１２  レール
１３  フレーム
１４  スイッチング装置
１５〜１９  調節装置
２０  電気回路
２１  モータ
２２  レバー
２２．１，２２．２  アーム
２３  回転ジョイント
２４  レバー
２４．１，２４．２  アーム
２５  回転ジョイント
２６  スイッチ
２７  切換斜材
２８，２９  ばね
３０，３１  ロール
３２  回転ジョイント
３３  リンク
３４  回転ジョイント
３５  リンク
３６  ベルト
３７  清浄布リール
３８  汚れ布リール
３９，４０  ロール
４１，４２  固定山形材
４３  窓
４４  ロッド
４５  ジョイント
４６  グリップ
４７  軸
４８  絞り
４９  切欠き
５０  カム
５１  ピン
５２  スリット
５３  ブッシュ
５４  溝
５５  横木
５６  側壁
５７  係止部
５８  窪み
５９  機械壁
６０  直進ジョイント
【図１】
0004753478.tif 000002
【図２】
0004753478.tif 000003
【図３】
0004753478.tif 000004
【図４】
0004753478.tif 000005
【図５】
0004753478.tif 000006
【図６】
0004753478.tif 000007
【図７】
0004753478.tif 000008